(57)【要約】【課題】多品種を低コストで製造可能な操作パネルを提供する。【解決手段】操作パネル４０は、以下のようにして製造する。すなわち、まずベース部材１２の取付穴１４ａ，１４ｃ〜１４ｅ，１４ｇ〜１４ｏに部品を組み込み、残りの取付穴１４ｂ，１４ｆ，１４ｐ，１４ｑは部品を組み込まず空のままとする。次に、部品が組み込まれている取付穴１４ａ，１４ｃ〜１４ｅ，１４ｇ〜１４ｏと対向する位置に該部品を外部に露出する露出穴２０ａ，２０ｃ〜２０ｅ，２０ｇ〜２０ｏが設けられ空の取付穴１４ｂ，１４ｆ，１４ｐ，１４ｑに対向する位置には露出穴が設けられていないプレート部材２６を用意し、プレート部材２６で部品取付面１４を被覆し、各フック２４を各フック掛止穴１６に嵌め込むことにより該プレート部材２６をベース部材１２と一体化する。【選択図】図５
2006295885.tif 000002
【特許請求の範囲】
【請求項１】
電子制御機器を操作する際に用いられる操作パネルであって、
基本機能の設定又は操作に用いられる部品のうちパネル外面に露出する部品を取り付け可能な第１の部品取付穴および前記基本機能に付加される付加機能の設定又は操作に用いられる部品のうちパネル外面に露出する部品を取り付け可能な第２の部品取付穴を有するベース部材と、
前記ベース部材の操作面側を被覆するように該ベース部材と一体化され、少なくとも前記第１の部品取付穴に対向する位置に露出穴を有するプレート部材と、
を備えた操作パネル。
【請求項２】
前記プレート部材は、前記第１の部品取付穴に対向する位置にのみ露出穴を有する基本機能対応型プレート部材および前記第１の部品取付穴と前記第２の部品取付穴の両方に対向する位置に露出穴を有する付加機能対応型プレート部材の中から選択されたものである、
請求項１に記載の操作パネル。
【請求項３】
電子制御機器を操作する際に用いられる操作パネルであって、
全種類の部品を組み込むための複数の取付穴が設けられた部品取付面を有し、該複数の取付穴には部品が組み込まれている取付穴ものが存在するベース部材と、
前記部品取付面を被覆するように前記ベース部材と一体化され、前記部品が組み込まれている取付穴と対向する位置には該部品を外部に露出する露出穴が設けられているプレート部材と、
を備えた操作パネル。
【請求項４】
前記プレート部材は、前記複数の取付穴の各々と対向する位置に前記露出穴が設けられた全部品対応型プレートおよび前記複数の取付穴のうち一部の取付穴と対向する位置に前記露出穴が設けられた一部部品対応型プレートの中から選択されたものである、
請求項３に記載の操作パネル。
【請求項５】
前記プレート部材は板状に形成され、前記ベース部材は前記プレート部材に比べて厚みをもって形成されている、
請求項１〜４のいずれかに記載の操作パネル。
【請求項６】
前記プレート部材及び前記ベース部材は金型成形品である、
請求項１〜５のいずれかに記載の操作パネル。
【請求項７】
前記ベース部材は周縁に切欠溝を有し、前記プレート部材は前記ベース部材と一体化したときに前記切欠溝に嵌り込む嵌合突起を有する、
請求項１〜６のいずれかに記載の操作パネル。
【請求項８】
前記プレート部材は、前記露出穴の近傍に該露出穴から露出する部品に関する情報が印刷されている、
請求項１〜７のいずれかに記載の操作パネル。
【請求項９】
請求項１〜８のいずれかに記載の操作パネルを備えた電子制御機器。
【請求項１０】
電子制御機器の筐体に組み付けられる操作パネルの製造方法であって、
（ａ）基本機能の設定又は操作に用いられる部品のうちパネル外面に露出する部品を取り付け可能な第１の部品取付穴および前記基本機能に付加される付加機能の設定又は操作に用いられる部品のうちパネル外面に露出する部品を取り付け可能な第２の部品取付穴を有するベース部材を用意し、前記第１の部品取付穴にのみ部品を組み込むか又は前記第１及び第２の部品取付穴の両方に部品を組み込む工程と、
（ｂ）前記第１の部品取付穴に対向する位置にのみ露出穴を有する基本機能対応型プレート部材および前記第１の部品取付穴と前記第２の部品取付穴の両方に対向する位置に露出穴を有する付加機能対応型プレート部材のうち前記工程（ａ）で組み込んだ部品に応じていずれかのプレート部材を選択し、該選択したプレート部材で前記ベース部材の操作面側を被覆し該プレート部材を前記ベース部材と一体化する工程と、
を含む操作パネルの製造方法。
【請求項１１】
電子制御機器の筐体に組み付けられる操作パネルの製造方法であって、
（ａ）全種類の部品を取り付けるための複数の取付穴が設けられた部品取付面を有するベース部材を用意し、該複数の取付穴の全部又は一部に部品を組み込む工程と、
（ｂ）前記部品が組み込まれている取付穴と対向する位置に該部品を外部に露出する露出穴が設けられ空の取付穴と対向する位置に露出穴が設けられていないプレート部材を用意し、該プレート部材で前記部品取付面を被覆し該プレート部材を前記ベース部材と一体化する工程と、
を含む操作パネルの製造方法。
【発明の詳細な説明】
【技術分野】
【０００１】
本発明は、電子制御機器に組み付けられる操作パネル、その製造方法及び電子制御機器に関する。
【背景技術】
【０００２】
従来、操作パネルとしては、プリンタやファクシミリ機等の電子制御機器の筐体に組み付けられたものが知られている。このような操作パネルには多数のスイッチが設けられていることが多いが、利用者によってはそのうちの特定のスイッチしか利用しないことがある。そのため、特許文献１には、各スイッチに対応する位置に切り外し用加工部を設けておき、自分が利用するスイッチに対応する位置だけ切り外し用加工部を切り外してそのスイッチを露出させるマスクカバーが提案されている。
【特許文献１】特開２００３−２９８７９１
【発明の開示】
【発明が解決しようとする課題】
【０００３】
特許文献１に開示されている技術は、操作パネルに多数のスイッチが設けられていることが前提となっていて、そのうち自分が利用するスイッチだけ露出させるというものであるが、そもそも操作パネルに必要以上に多数のスイッチが設けられていることが問題であるともいえる。このため、スイッチの少ない操作パネルやスイッチの多い操作パネルなど、操作パネルのバリエーションを豊富にしておき、利用者が自分の好きな操作パネルを選択できるようにすることが好ましいが、その場合には多品種の操作パネルを作製しなければならないため製造コストが嵩むという問題がある。
【０００４】
本発明はかかる課題を解決するためになされたものであり、多品種を低コストで製造可能な操作パネルやその製造方法を提供することを目的の一つとする。また、そのような操作パネルを持つ電子制御機器を提供することを目的の一つとする。
【課題を解決するための手段】
【０００５】
本発明は、上述の目的を達成するために以下の手段を採った。
【０００６】
本発明の第１の操作パネルは、
電子制御機器を操作する際に用いられる操作パネルであって、
基本機能の設定又は操作に用いられる部品のうちパネル外面に露出する部品を取り付け可能な第１の部品取付穴および前記基本機能に付加される付加機能の設定又は操作に用いられる部品のうちパネル外面に露出する部品を取り付け可能な第２の部品取付穴を有するベース部材と、
前記ベース部材の操作面側を被覆するように該ベース部材と一体化され、少なくとも前記第１の部品取付穴に対向する位置に露出穴を有するプレート部材と、
を備えたものである。
【０００７】
本発明の第１の操作パネルでは、ベース部材には基本機能の設定又は操作に用いられる部品のうちパネル外面に露出する部品を取り付け可能な第１の部品取付穴および前記基本機能に付加される付加機能の設定又は操作に用いられる部品のうちパネル外面に露出する部品を取り付け可能な第２の部品取付穴が設けられているため、第１及び第２の部品取付穴の両方に部品を組み込んでおくこともできるし第１の部品取付穴のみに部品を組み込んでおくこともできる。そして、ベース部材の第１及び第２の部品取付穴の両方に部品が組み込まれているときには第１及び第２の部品取付穴と対向する位置に露出穴が設けられたプレート部材をベース部材と一体化すればよく、ベース部材の第１の部品取付穴のみに部品が組み込まれているときには第１の部品取付穴に対向する位置のみに露出穴が設けられたプレート部材をベース部材と一体化すればよい。このように、多品種の操作パネルを製造する際にベース部材を共通化してプレート部材だけを取り替えればよいため、製造コストを低く抑えることができる。
【０００８】
ここで、「基本機能」と「付加機能」とは、例えば、基本機能をプリント機能とし付加機能をコピー機能やスキャナ機能、ファクシミリ機能の少なくとも一つとしてもよいし、基本機能をプリント機能とコピー機能とスキャナ機能とし付加機能をファクシミリ機能としてもよいし、基本機能をモノクロプリント機能とし付加機能をカラープリント機能としてもよい。
【０００９】
本発明の第１の操作パネルにおいて、前記プレート部材は、前記第１の部品取付穴に対向する位置にのみ露出穴を有する基本機能対応型プレート部材および前記第１の部品取付穴と前記第２の部品取付穴の両方に対向する位置に露出穴を有する付加機能対応型プレート部材の中から選択されたものとしてもよい。こうすれば、基本機能対応型プレートか付加機能対応型プレートかを選択するだけで多品種の操作パネルを製造することが可能となる。
【００１０】
本発明の第２の操作パネルは、
電子制御機器を操作する際に用いられる操作パネルであって、
全種類の部品を組み込むための複数の取付穴が設けられた部品取付面を有し、該複数の取付穴には部品が組み込まれている取付穴ものが存在するベース部材と、
前記部品取付面を被覆するように前記ベース部材と一体化され、前記部品が組み込まれている取付穴と対向する位置には該部品を外部に露出する露出穴が設けられているプレート部材と、
を備えたものである。
【００１１】
本発明の第２の操作パネルでは、ベース部材には全種類の部品を組み込むための複数の取付穴が設けられているため全種類の部品を組み込んでおくこともできるし全種類の部品のうちの一部だけを組み込んでおくこともできる。そして、ベース部材の全取付穴に部品が組み込まれているときには全取付穴と対向する位置に露出穴が設けられたプレート部材がベース部材と一体化され、ベース部材の一部の取付穴に部品が組み込まれているときにはその一部の取付穴に対向する位置に露出穴が設けられたプレート部材がベース部材と一体化される。このように、多品種の操作パネルを製造する際にベース部材を共通化してプレート部材だけを取り替えればよいため、製造コストを低く抑えることができる。
【００１２】
ここで、「全種類の部品」とは、予め決められた複数の機能を実現するのに用いられパネル外面に露出する全種類の部品をいう。また、「部品取付面」とは、ベース部材のうち部品を組み込むための複数の取付穴が開口している面をいう。
【００１３】
本発明の第２の操作パネルにおいて、前記プレート部材は、前記複数の取付穴の各々と対向する位置に前記露出穴が設けられた全部品対応型プレートおよび前記複数の取付穴のうち一部の取付穴と対向する位置に前記露出穴が設けられた一部部品対応型プレートの中から選択されたものとしてもよい。こうすれば、全部品対応型プレートか一部部品対応型プレートかを選択するだけで多品種の操作パネルを製造することが可能となる。
【００１４】
本発明の第１及び第２の操作パネルにおいて、前記プレート部材は板状に形成され、前記ベース部材は前記プレート部材に比べて厚みをもって形成されていてもよい。この場合、プレート部材は板状であるため多種類を作製するとしても比較的容易であるのに対して、ベース部材は厚みがあるため、多種類を作製するとコスト高になりやすいことから共通部品とする意義が高い。特に、金型で成形する場合にはこの点が顕著になる。
【００１５】
本発明の第１及び第２の操作パネルにおいて、前記ベース部材は周縁に切欠溝を有し、前記プレート部材は前記ベース部材と一体化したときに前記切欠溝に嵌り込む嵌合突起を有していてもよい。こうすれば、本発明の操作パネルを電子制御機器に搭載するときにプレート部材の嵌合突起の上から押さえ部材で押さえつけることにより、プレート部材がベース部材から離れるのを防止することができる。
【００１６】
本発明の第１及び第２の操作パネルにおいて、前記プレート部材は、前記露出穴の近傍に該露出穴から露出する部品に関する情報が印刷されていてもよい。こうすれば、ユーザは、露出している部品に関する情報を説明書などに頼ることなく容易に知ることができる。また、プレート部材が板状に形成されている場合には、そのような情報の印刷を容易に行うことができる。なお、部品に関する情報は、例えば部品の名称や機能を表す情報であり、文字であってもよいし何らかの意味を持つ記号・図形であってもよい。また、文字の場合には、種々の言語で行うようにしてもよい。
【００１７】
本発明の電子制御機器は、上述したいずれかの操作パネルを備えたものである。上述した操作パネルによれば、多品種の操作パネルを製造する際にベース部材を共通化してプレート部材だけを取り替えればよいため、製造コストを低く抑えることができる。したがって、この操作パネルを採用した電子制御機器においても、操作パネルのコストを低く抑えることができ、ひいては電子制御機器全体のコストを低くすることができる。なお、電子制御機器とは、特に限定されるものではないが、例えば、プリンタ、ファクシミリ機、コピー機、スキャナ及びこれらのうちの二以上の機能を搭載した複合機などが挙げられる。
【００１８】
本発明の第１の操作パネルの製造方法は、
電子制御機器の筐体に組み付けられる操作パネルの製造方法であって、
（ａ）基本機能の設定又は操作に用いられる部品のうちパネル外面に露出する部品を取り付け可能な第１の部品取付穴および前記基本機能に付加される付加機能の設定又は操作に用いられる部品のうちパネル外面に露出する部品を取り付け可能な第２の部品取付穴を有するベース部材を用意し、前記第１の部品取付穴にのみ部品を組み込むか又は前記第１及び第２の部品取付穴の両方に部品を組み込む工程と、
（ｂ）前記第１の部品取付穴に対向する位置にのみ露出穴を有する基本機能対応型プレート部材および前記第１の部品取付穴と前記第２の部品取付穴の両方に対向する位置に露出穴を有する付加機能対応型プレート部材のうち前記工程（ａ）で組み込んだ部品に応じていずれかのプレート部材を選択し、該選択したプレート部材で前記ベース部材の操作面側を被覆し該プレート部材を前記ベース部材と一体化する工程と、
を含むものである。
【００１９】
この操作パネルの製造方法では、ベース部材には基本機能の設定又は操作に用いられる部品のうちパネル外面に露出する部品を取り付け可能な第１の部品取付穴および前記基本機能に付加される付加機能の設定又は操作に用いられる部品のうちパネル外面に露出する部品を取り付け可能な第２の部品取付穴が設けられているため、第１及び第２の部品取付穴の両方に部品を組み込んでおくこともできるし第１の部品取付穴のみに部品を組み込んでおくこともできる。そして、ベース部材の第１及び第２の部品取付穴の両方に部品が組み込まれているときには第１及び第２の部品取付穴と対向する位置に露出穴が設けられたプレート部材をベース部材と一体化すればよく、ベース部材の第１の部品取付穴のみに部品が組み込まれているときには第１の部品取付穴に対向する位置のみに露出穴が設けられたプレート部材をベース部材と一体化すればよい。このように、多品種の操作パネルを製造する際にベース部材を共通化してプレート部材だけを取り替えればよいため、製造コストを低く抑えることができる。
【００２０】
本発明の第２の操作パネルの製造方法は、
電子制御機器の筐体に組み付けられる操作パネルの製造方法であって、
（ａ）全種類の部品を組み込むための複数の取付穴が設けられた部品取付面を有するベース部材を用意し、該複数の取付穴の全部又は一部に部品を組み込む工程と、
（ｂ）前記部品が組み込まれている取付穴と対向する位置に該部品を外部に露出する露出穴が設けられ空の取付穴と対向する位置に露出穴が設けられていないプレート部材を用意し、該プレート部材で前記部品取付面を被覆し該プレート部材を前記ベース部材と一体化する工程と、
を含むものである。
【００２１】
この操作パネルの製造方法では、ベース部材には全種類の部品を組み込むための複数の取付穴が設けられているため全種類の部品を組み込んでおくこともできるし全種類の部品のうちの一部だけを組み込んでおくこともできる。そして、ベース部材の全取付穴に部品が組み込まれているときには全取付穴と対向する位置に露出穴が設けられたプレート部材がベース部材と一体化され、ベース部材の一部の取付穴に部品が組み込まれているときにはその一部の取付穴に対向する位置に露出穴が設けられたプレート部材がベース部材と一体化される。このように、多品種の操作パネルを製造する際にベース部材を共通化してプ
レート部材だけを取り替えればよいため、製造コストを低く抑えることができる。
【発明を実施するための最良の形態】
【００２２】
まず、フル機能を搭載した複合機３０について説明する。図１は、この複合機３０の概略斜視図であり、図２はこの複合機３０用の操作パネル１０の組立斜視図である。操作パネル１０は、図１に示すように、予め決められた複数の機能であるスキャナ、プリンタ、コピー、ファックスの各機能を備えた複合機３０に組み付けられるものである。また、この操作パネル１０は、図２に示すように、金型により成形された樹脂製で厚みのあるベース部材１２と、同じく金型により成形された樹脂製で板状薄肉のプレート部材２０とを一体化することにより形成されている。
【００２３】
ベース部材１２は、上述した複数の機能を実現するのに用いられパネル外面に露出する全種類の部品を組み込むための複数の取付穴１４ａ〜１４ｑが設けられている。ベース部材１２のうち部品取付面１４は、各取付穴１４ａ〜１４ｑが開口している面でありユーザが操作する側の面であるが、この部品取付面１４の左側には、コピーを実行するときに押下されるコピーボタンを組み込むためのコピーボタン取付穴１４ａ、ファックスを送信するときに押下されるファックスボタンを組み込むためのファックスボタン取付穴１４ｂ、スキャナで画像を取り込むときに押下されるスキャナボタンを組み込むためのスキャナボタン取付穴１４ｃ、各種設定作業を行うときに押下される各種設定ボタンを組み込むための設定ボタン取付穴１４ｄのほか、各種インジケータランプを組み込むランプ取付穴１４ｅやワンタッチダイヤルを組み込むダイヤル取付穴１４ｆ、スピーカを組み込むスピーカ取付穴１４ｇが形成されている。また、部品取付面１４の略中央には、各種の情報を表示可能なディスプレイを組み込むためのディスプレイ取付穴１４ｈが形成されている。更に、部品取付面１４の右側には、ディスプレイに表示される内容を選択する上下左右キーを組み込むための上下左右キー取付穴１４ｉ、ディスプレイに表示されるメニューを拡張するときに押下される拡張ボタンを組み込むための拡張ボタン取付穴１４ｊ、設定内容をリセットするリセットボタンを組み込むためのリセットボタン取付穴１４ｋ、モノクロでの作業開始を指示するモノクロスタートボタンを組み込むためのモノクロスタートボタン取付穴１４ｌ、カラーでの作業開始を指示するカラースタートボタンを組み込むためのカラースタートボタン取付穴１４ｍ、作業の中止を指示するストップボタンを組み込むためのストップボタン取付穴１４ｎのほか、テンキーを組み込むためのテンキー取付穴１４ｏやファックスの短縮ダイヤルを呼び出す短縮ボタンを組み込むための短縮ボタン取付穴１４ｐ、ファックスのリダイヤルを指示するリダイヤルボタンを組み込むためのリダイヤルボタン取付穴１４ｑが形成されている。この部品取付面１４は、周囲に沿って複数のフック掛止穴１６が形成されている。ここでは、各取付穴１４ａ〜１４ｑのすべてに部品が組み込まれている。これらの部品は、図示しないが、部品取付面１４の裏側に固定され、各取付穴１４ａ〜１４ｑから露出している。
【００２４】
ベース部材１２の部品取付面１４の裏側には、周囲を囲うように周壁部１８が立設されている。この周壁部１８は、各取付穴１４ａ〜１４ｑに組み込まれた部品を保護したり操作パネル１０の強度を高めたりする役割を果たすほか、複合機３０の筐体に組み付ける際の土台としての役割を果たす。また、部品取付面１４の左右両側には、矩形状に切り欠いた切欠溝１９，１９が形成されている。
【００２５】
プレート部材２０は、ベース部材１２の部品取付面１４を被覆する大きさに形成され、すべての取付穴１４ａ〜１４ｑに対向する位置に各部品を外部に露出する露出穴２０ａ〜２０ｑが設けられている。この露出穴２０ａ〜２０ｑのうち、ランプ取付穴１４ｅに対向する位置に設けられた露出穴２０ｆについては図示しないがレンズが嵌め込まれており、スピーカ取付穴１４ｇに対応する位置に設けられた露出穴２０ｇについては小孔の集合として形成されている。また、プレート部材２０は、左右両側に部品取付面１４の切欠溝１９，１９と嵌合する嵌合突起２２，２２を有している。更に、プレート部材２０は、裏面の周囲に沿って複数のフック２４を有しており、ベース部材１２と一体化する際にこれら
のフック２４が部品取付面１４に形成されたフック掛止穴１６に掛止される。図３にフック２４がフック掛止穴１６に挿入される前後の様子を示す。
【００２６】
次に、操作パネル１０の組立手順について説明する。まず、ベース部材１２を用意し、このベース部材１２の全取付穴１４ａ〜１４ｑに部品を組み込む。次に、部品が組み込まれている取付穴１４ａ〜１４ｑと対向する位置に該部品を外部に露出する露出穴２０ａ〜２０ｑが設けられているプレート部材２０を用意し、該プレート部材２０で部品取付面１４を被覆し、各フック２４を各フック掛止穴１６に嵌め込むことによりプレート部材２０をベース部材１２と一体化する。プレート部材２０とベース部材１２とを一体化すると、部品取付面１４の切欠溝１９，１９にプレート部材２０の嵌合突起２２，２２が嵌り込んだ状態となる。この状態で、嵌合突起２２，２２を押さえ部材２８により上から押さえ込むと、プレート部材２０をベース部材１２から外れないように固定することができる。
【００２７】
次に、機能を簡素化した複合機６０について説明する。図４は、この複合機６０の概略斜視図であり、図５はこの複合機６０用の操作パネル４０の組立斜視図である。操作パネル４０は、図４に示すように、スキャナ、プリンタ、コピーの各機能を備えた複合機６０つまりファックス機能が省略された複合機６０に組み付けられるものである。また、この操作パネル４０は、図４に示すように、金型により成形された樹脂製で厚みのあるベース部材１２と、同じく金型により成形された樹脂製で板状薄肉のプレート部材２６とを一体化することにより形成されている。
【００２８】
ベース部材１２は、前出の操作パネル１０で使用したものと共通の部材であるため、ここでは同じ構成要素については同じ符号を付し、その説明を省略する。ただし、全取付穴１４ａ〜１４ｑに部品が組み込まれているのではなく、ファックス機能に関連する部品は組み込まれていない。つまり、ダイヤル取付穴１４ｆ、ファックスボタン取付穴１４ｂ、スピーカ取付穴１４ｇ、短縮ボタン取付穴１４ｐ及びリダイヤルボタン取付穴１４ｑには、それぞれワンタッチダイヤルボタン、ファックスボタン、スピーカ、短縮ボタン及びリダイヤルボタンが組み込まれていない。
【００２９】
プレート部材２６は、前出のプレート部材２０と露出穴の数が異なる以外は同じ構成であるため、同じ構成要素については同じ符号を付し、その説明を省略する。このプレート部材２６は、部品が組み込まれている取付穴１４ａ，１４ｃ〜１４ｅ，１４ｇ〜１４ｏに対向する位置に各部品を外部に露出する露出穴２０ａ，２０ｃ〜２０ｅ，２０ｈ〜２０ｏが設けられている。なお、プレート部材２６とベース部材１２との一体化については、プレート部材２０とベース部材１２との一体化と同様であるため、その説明を省略する。
【００３０】
次に、操作パネル４０の組立手順について説明する。まず、ベース部材１２を用意し、このベース部材１２の取付穴１４ａ，１４ｃ〜１４ｅ，１４ｇ〜１４ｏに部品を組み込み、残りの取付穴１４ｂ，１４ｆ，１４ｐ，１４ｑは部品を組み込まず空のままとする。次に、部品が組み込まれている取付穴１４ａ，１４ｃ〜１４ｅ，１４ｇ〜１４ｏと対向する位置に該部品を外部に露出する露出穴２０ａ，２０ｃ〜２０ｅ，２０ｇ〜２０ｏが設けられ空の取付穴１４ｂ，１４ｆ，１４ｐ，１４ｑに対向する位置には露出穴が設けられていないプレート部材２６を用意し、プレート部材２６で部品取付面１４を被覆し、各フック２４を各フック掛止穴１６に嵌め込むことにより該プレート部材２６をベース部材１２と一体化する。プレート部材２６とベース部材１２とを一体化すると、部品取付面１４の切欠溝１９，１９にプレート部材２６の嵌合突起２２，２２が嵌り込んだ状態となる。この状態で、嵌合突起２２，２２を押さえ部材２８により上から押さえ込むと、プレート部材２６をベース部材１２から外れないように固定することができる。
【００３１】
以上詳述した実施形態によれば、ベース部材１２の全取付穴１４ａ〜１４ｑに部品が組
み込まれているときには操作パネル１０のように全取付穴１４ａ〜１４ｑと対向する位置に露出穴２０ａ〜２０ｑが設けられたプレート部材２０がベース部材１２と一体化され、ベース部材１２の一部の取付穴１４ａ，１４ｃ〜１４ｅ，１４ｇ〜１４ｏに部品が組み込まれているときには操作パネル４０のようにその一部の取付穴１４ａ，１４ｃ〜１４ｅ，１４ｇ〜１４ｏに対向する位置に露出穴２０ａ，２０ｃ〜２０ｅ，２０ｇ〜２０ｏが設けられたプレート部材２６がベース部材１２と一体化される。このように、多品種の操作パネル１０，４０を製造する際にベース部材１２を共通化してプレート部材だけを取り替えればよいため、製造コストを低く抑えることができる。
【００３２】
また、プレート部材２０は、複数の取付穴１４ａ〜１４ｑの各々と対向する位置に露出穴２０ａ〜２０ｑが設けられた全部品対応型プレート（付加機能対応型プレート）であり、プレート部材２６は、複数の取付穴１４ａ〜１４ｑのうち一部の取付穴と対向する位置に露出穴が設けられた一部部品対応型プレート（基本機能対応型プレート）であるが、これらのいずれかを選択するだけで多品種の操作パネル１０，４０を製造することが可能となる。
【００３３】
更に、プレート部材２０，２６は板状であるため多種類を作製するとしても比較的容易であるのに対して、ベース部材１２は厚みがあるため、多種類を作製するとコスト高になりやすいことから共通部品とする意義が高い。特に、金型で成形する場合にはこの点が顕著になる。
【００３４】
更にまた、ベース部材１２は周縁に切欠溝１９，１９を有し、プレート部材２０，２６はベース部材１２と一体化したときに切欠溝１９，１９に嵌り込む嵌合突起２２，２２を有しているため、操作パネル１０，４０を複合機３０，６０に搭載するときに嵌合突起２２，２２の上から押さえ部材２８，２８で押さえつけることにより、プレート部材２０，２６がベース部材１２から離れるのを防止することができる。
【００３５】
なお、本発明は上述した実施形態に何ら限定されることはなく、本発明の技術的範囲に属する限り種々の態様で実施し得ることはいうまでもない。
【００３６】
例えば、上述した実施形態では、複合機３０に用いられる操作パネル１０と複合機６０に用いられる操作パネル４０について説明したが、単機能のプリンタやファックス機、スキャナの操作パネルについても、ベース部材１２を共通部品としプレート部材を異なる部品として両者を一体化することにより作製してもよい。
【００３７】
また、上述した実施形態のプレート部材２０，２６の各露出穴の近傍には、その露出穴から露出するボタン等の名称やアイコンを印刷してもよい。このように印刷する場合であっても、ベース部材１２に比べてプレート部材２０，２６は薄肉であるため容易に印刷することができる。なお、名称については、どの国で販売する製品かに応じてその国に合った言語を用いるようにしてもよい。
【００３８】
更に、上述した実施形態のプレート部材２０，２６について、色彩が異なるタイプや模様が異なるタイプを作製してもよい。こうすれば、利用者は自分の好みに応じた色や模様の付いた操作パネルを選ぶことができる。
【００３９】
更にまた、上述した実施形態では、複合機６０に搭載されたスキャナ、プリンタ、コピーの３つの機能が基本機能に相当し、複合機３０に搭載されたファックス機能が付加機能に相当するものとして説明したが、基本機能をプリント機能とし付加機能をスキャナ、コピー、ファックスの少なくとも一つの機能としてもよいし、基本機能をモノクロプリント機能とし付加機能をカラープリント機能としてもよい。
【図面の簡単な説明】
【００４０】
【図１】フル機能を搭載した複合機の概略斜視図。
【図２】フル機能を搭載した複合機用の操作パネルの組立斜視図。
【図３】フックがフック掛止穴に挿入される前後の様子を示す断面図。
【図４】機能を簡素化した複合機の概略斜視図。
【図５】機能を簡素化した複合機用の操作パネルの組立斜視図。
【符号の説明】
【００４１】
１０  操作パネル、１２  ベース部材、１４  部品取付面、１４ａ  コピーボタン取付穴、１４ｂ  ファックスボタン取付穴、１４ｃ  スキャナボタン取付穴、１４ｄ  設定ボタン取付穴、１４ｅ  ランプ取付穴、１４ｆ  ダイヤル取付穴、１４ｇ  スピーカ取付穴、１４ｈ  ディスプレイ取付穴、１４ｉ  上下左右キー取付穴、１４ｊ  拡張ボタン取付穴、１４ｋ  リセットボタン取付穴、１４ｌ  モノクロスタートボタン取付穴、１４ｍ  カラースタートボタン取付穴、１４ｎ  ストップボタン取付穴、１４ｏ  テンキー取付穴、１４ｐ  短縮ボタン取付穴、１４ｑ  リダイヤルボタン取付穴、１６  フック掛止穴、１８  周壁部、１９  切欠溝、２０  プレート部材、２０ａ〜２０ｑ  露出穴、２２  嵌合突起、２４  フック、２６  プレート部材、２８  押さえ部材、３０  複合機、４０  操作パネル、６０  複合機。
【図１】
2006295885.tif 000003
【図２】
2006295885.tif 000004
【図３】
2006295885.tif 000005
【図４】
2006295885.tif 000006
【図５】
2006295885.tif 000007